(57)【要約】【課題】ブラインド操作可能に多数のメニュー画像を表示して操作を受け付ける構成において、迅速に所望するメニュー画像を選択できるようにする。【解決手段】表示部１１と、操作部２０から操作情報を取得する操作情報取得部１２と、表示制御部１３とを備える。表示制御部１３は、表示部１１により、メニュー画像を順次並べて配置して、選択可能な複数のメニュー画像を表示し、操作情報により、可動部２０Ａを可動する毎に、並べて配置したメニュー画像のフォーカスを、可動部２０Ａを可動した側に順次切り替え、可動部２０Ａが可動端ＬＲ、ＬＬ側に判定基準時間以上保持されると、可動部２０Ａを可動した側に、隣接するメニュー画像を飛び越して、メニュー画像のフォーカスを切り替える。【選択図】図２
2020050056.tif 000002
【特許請求の範囲】
【請求項１】
ドライバーの前方空間に、虚像により画像を形成する表示部と、
操作部から操作情報を取得する操作情報取得部と、
前記操作情報に基いて、前記表示部の表示を制御する表示制御部とを備え、
前記操作部は、
初期位置を間に挟んだ一方の側の可動端と他方の側の可動端との間で、可動部を可動可能であって、前記可動部に対する拘束力が無くなると、前記可動部が前記初期位置に可動する操作子であり、
前記表示制御部は、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える
車両用表示装置。
【請求項２】
前記操作部が、前記初期位置から前記一方の側及び他方の側に、前記可動部を回動可能な操作子であり、
前記表示制御部は、
円形形状又はリング形状の領域を放射状に分轄して形成された各小領域に前記メニュー画像をそれぞれ配置して表示することにより、
前記メニュー画像を順次並べて配置して、選択可能な複数の前記メニュー画像を表示する
請求項１に記載の車両用表示装置。
【請求項３】
車両用表示装置の制御方法において、
前記車両用表示装置は、
ドライバーの前方空間に、虚像により画像を形成する表示部を備え、
前記車両用表示装置の制御方法は、
初期位置を間に挟んだ一方の側の可動端と他方の側の可動端との間で、可動部を可動可能であって、前記可動部に対する拘束力が無くなると、前記可動部が前記初期位置に可動する操作部から、操作情報を取得する操作情報取得ステップと、
前記操作情報に基いて、前記表示部の表示を制御する表示制御ステップとを備え、
前記表示制御ステップは、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える
車両用表示装置の制御方法。
【請求項４】
演算処理回路における実行により所定の処理手順を実行させる車両用表示装置の制御プログラムにおいて、
前記車両用表示装置は、
ドライバーの前方空間に、虚像により画像を形成する表示部を備え、
前記処理手順は、
初期位置を間に挟んだ一方の側の可動端と他方の側の可動端との間で、可動部を可動可能であって、前記可動部に対する拘束力が無くなると、前記可動部が前記初期位置に可動する操作部から、操作情報を取得する操作情報取得ステップと、
前記操作情報に基いて、前記表示部の表示を制御する表示制御ステップとを備え、
前記表示制御ステップは、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える
車両用表示装置の制御プログラム。
【発明の詳細な説明】
【技術分野】
【０００１】
本発明は、車両用表示装置、車両用表示装置の制御方法、車両用表示装置の制御プログラムに関するものである。
【背景技術】
【０００２】
従来、ヘッドアップディスプレイ装置による車両用表示装置に関して、ドライバーの前方空間に、虚像を表示することにより、ウインドシールドを介して視認されるドライバーの前方視界に、種々の画像を表示する工夫が提案されている。
【０００３】
このような車両用表示装置に関して、特許文献１には、操作部で検出されるドライバーによる指の接触位置の変化による軌跡に対応するように順次メニュー画像を表示するようにして、この指の接触位置によりメニュー画像の選択を受け付ける構成が開示されている。
【０００４】
また特許文献２、３には、いわゆるセルフリターンスイッチによる操作子に関する工夫が開示されている。ここでセルフリターンスイッチによる操作子は、可動部の可動によりユーザーの操作を受け付け、ユーザーが手を離してこの可動部に対する拘束力が無くなると、この可動部が初期位置に可動する操作子である。
【先行技術文献】
【特許文献】
【０００５】
【特許文献１】特開２０１５−０９３５５０号公報
【特許文献２】特開２０００−２０８３１１号公報
【特許文献３】特開平９−６０４２０号公報
【発明の概要】
【発明が解決しようとする課題】
【０００６】
ところで特許文献１に開示の構成にあっては、ブラインド操作可能に多数のメニュー画像を表示し、さらにはレイアウトを種々に変更してメニュー画像を表示することができ、使い勝手を向上することができる。
しかしながら特許文献１に開示の構成においては、大きく指を移動させることが必要な場合がある。具体的にリング形状に複数のメニュー画像を配置した場合には、最大でこのリング形状の配置の半周分（リング形状に係る軌跡の１８０度分である）、指を移動させることが必要になる。
これによりメニュー画像の選択に時間を要する場合があり、迅速に所望のメニュー画像を選択可能とする観点において、実用上未だ不十分な問題がある。
【０００７】
本発明は以上の点を考慮してなされたものであり、ブラインド操作可能に多数のメニュー画像を表示して操作を受け付ける構成において、迅速に所望するメニュー画像を選択することができる車両用表示装置、車両用表示装置の制御方法、車両用表示装置の制御プログラムを提案することを目的とする。
【課題を解決するための手段】
【０００８】
係る課題を解決するため、請求項１の発明に係る車両用表示装置は、
ドライバーの前方空間に、虚像により画像を形成する表示部と、
操作部から操作情報を取得する操作情報取得部と、
前記操作情報に基いて、前記表示部の表示を制御する表示制御部とを備え、
前記操作部は、
初期位置を間に挟んだ一方の側の可動端と他方の側の可動端との間で、可動部を可動可能であって、前記可動部に対する拘束力が無くなると、前記可動部が前記初期位置に可動する操作子であり、
前記表示制御部は、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える。
【０００９】
請求項１の構成によれば、一方の側及び他方の側に、可動部を可動する毎に、それぞれ一方の側及び他方の側に、メニュー画像のフォーカスを切り替えるようにして、可動端側に一定時間以上保持すると、隣接するメニュー画像を飛び越して、メニュー画像のフォーカスを切り替えることができることにより、例えばリング形状に複数のメニュー画像を配置したメニュー画面において、反対側に配置したメニュー画像にフォーカスを切り替える場合でも、ブラインド操作により、迅速にフォーカスを切り替えることができる。
これによりブラインド操作可能に多数のメニュー画像を表示して操作を受け付ける構成において、迅速に所望するメニュー画像を選択することができる。
【００１０】
請求項２の発明に係る車両用表示装置は、
請求項１の構成において、
前記操作部が、前記初期位置から前記一方の側及び他方の側に、前記可動部を回動可能な操作子であり、
前記表示制御部は、
円形形状又はリング形状の領域を放射状に分轄して形成された各小領域に前記メニュー画像をそれぞれ配置して表示することにより、
前記メニュー画像を順次並べて配置して、選択可能な複数の前記メニュー画像を表示する。
【００１１】
請求項２の構成によれば、メニュー画像の配置と対応する操作部の構成により、直感的にフォーカスを切り替え可能として、迅速に所望するメニュー画像を選択することができる。
【００１２】
請求項３の発明は、車両用表示装置の制御方法において、
前記車両用表示装置は、
ドライバーの前方空間に、虚像により画像を形成する表示部を備え、
前記車両用表示装置の制御方法は、
初期位置を間に挟んだ一方の側の可動端と他方の側の可動端との間で、可動部を可動可能であって、前記可動部に対する拘束力が無くなると、前記可動部が前記初期位置に可動する操作部から、操作情報を取得する操作情報取得ステップと、
前記操作情報に基いて、前記表示部の表示を制御する表示制御ステップとを備え、
前記表示制御ステップは、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える。
【００１３】
請求項３の構成によれば、一方の側及び他方の側に、可動部を可動する毎に、それぞれ一方の側及び他方の側に、メニュー画像のフォーカスを切り替えるようにして、可動端側に一定時間以上保持すると、隣接するメニュー画像を飛び越して、メニュー画像のフォーカスを切り替えることができることにより、例えばリング形状に複数のメニュー画像を配置したメニュー画面において、反対側に配置したメニュー画像にフォーカスを切り替える場合でも、ブラインド操作により、迅速にフォーカスを切り替えることができる。
これによりブラインド操作可能に多数のメニュー画像を表示して操作を受け付ける構成において、迅速に所望するメニュー画像を選択することができる。
【００１４】
請求項４の発明は、演算処理回路における実行により所定の処理手順を実行させる車両用表示装置の制御プログラムにおいて、
前記車両用表示装置は、
ドライバーの前方空間に、虚像により画像を形成する表示部を備え、
前記処理手順は、
初期位置を間に挟んだ一方の側の可動端と他方の側の可動端との間で、可動部を可動可能であって、前記可動部に対する拘束力が無くなると、前記可動部が前記初期位置に可動する操作部から、操作情報を取得する操作情報取得ステップと、
前記操作情報に基いて、前記表示部の表示を制御する表示制御ステップとを備え、
前記表示制御ステップは、
前記表示部により、メニュー画像を順次並べて配置して、選択可能な複数の前記メニュー画像を表示し、
前記操作情報により、前記可動部を可動する毎に、並べて配置した前記メニュー画像のフォーカスを、前記可動部を可動した側に順次切り替え、
前記可動部の前記可動端側に可動した可動時間を判定基準時間により判定し、前記可動部が前記可動端側に前記判定基準時間以上保持されると、前記可動部を可動した側に、フォーカスが設定されている前記メニュー画像に隣接する前記メニュー画像を飛び越して、前記メニュー画像のフォーカスを切り替える。
【００１５】
請求項４の構成によれば、一方の側及び他方の側に、可動部を可動する毎に、それぞれ一方の側及び他方の側に、メニュー画像のフォーカスを切り替えるようにして、可動端側に一定時間以上保持すると、隣接するメニュー画像を飛び越して、メニュー画像のフォーカスを切り替えることができることにより、例えばリング形状に複数のメニュー画像を配置したメニュー画面において、反対側に配置したメニュー画像にフォーカスを切り替える場合でも、ブラインド操作により、迅速にフォーカスを切り替えることができる。
これによりブラインド操作可能に多数のメニュー画像を表示して操作を受け付ける構成において、迅速に所望するメニュー画像を選択することができる。
【発明の効果】
【００１６】
本発明の車両用表示装置、車両用表示装置の制御方法、車両用表示装置の制御プログラムによれば、ブラインド操作可能に多数のメニュー画像を表示して操作を受け付ける構成において、迅速に所望するメニュー画像を選択することができる。
【図面の簡単な説明】
【００１７】
【図１】本発明の実施形態に係る車両の説明に供する断面図である。
【図２】図１の車両に適用される車両用表示装置のブロック図である。
【図３】図１の車両用表示装置に係る操作部を示す図である。
【図４】図１の車両用表示装置によるメニュー画像の表示を示す略線図である。
【図５】図４のメニュー画像による表示を示す略線図である。
【図６】図１の車両用表示装置によるメニュー画像の他の例による表示を示す略線図である。
【図７】図６のメニュー画像による表示を示す略線図である。
【図８】操作部の操作によるフォーカスの切り替えの説明に供する図である。
【図９】図８とは異なる例による操作部の操作によるフォーカスの切り替えの説明に供する図である。
【図１０】可動部の一定時間の保持によるフォーカスの切り替えの説明に供する図である。
【図１１】図１０とは異なる例による操作部の操作によるフォーカスの切り替えの説明に供する図である。
【図１２】フォーカスの切り替えの説明に供するフローチャートである。
【発明を実施するための形態】
【００１８】
〔第１実施形態〕
図１は、本発明の第１実施形態に係る車両１の構成を示す断面図であり、運転席より前方部分を部分的に示す図である。
【００１９】
この車両１は、自動運転モードにより走行可能な車両であり、ダッシュボード内に、ヘッドアップディスプレイ装置による車両用表示装置２を備える。車両１は、この車両用表示装置２から画像表示に供する出射光Ｌを出射し、この出射光Ｌをウインドシールド３でドライバー４に向けて反射する。車両用表示装置２は、このウインドシールド３の反射光によりドライバー４の前方空間に虚像５を形成し、これによりウインドシールド３を介して車両の前方を視認可能とした状態で、ドライバー４の前方空間に虚像５により種々の画像を表示する。
この車両１では、この車両用表示装置２による画像によりメニュー画像を表示してドライバーの操作を受け付ける。
【００２０】
図２は、車両用表示装置２を周辺構成と共に示す図である。
車両用表示装置２は、表示部１１、操作情報取得部１２、表示制御部１３を備える。
車両用表示装置２は、車両用表示装置の制御プログラムを演算処理回路で実行することにより、操作情報取得部１２、表示制御部１３が構成される。
これによりこの制御プログラムの実行による処理手順は、操作情報取得部１２、表示制御部１３にそれぞれ対応して、対応する処理を実行する操作情報取得ステップ、表示制御ステップを備える。
なお車両用表示装置２は、この図２に示す構成以外に、一連の処理を実行する各種の構成を備える。
【００２１】
表示部１１は、表示に供する画像を形成する。表示部１１は、画像表示パネルにより表示に供する画像を形成し、所定の光学系を介して、この画像表示パネルの出射光Ｌをウインドシールド３に出射する。
ここで画像表示パネルは、ＤＭＤ（Ｄｉｇｉｔａｌ  Ｍｉｒｒｏｒ  Ｄｅｖｉｃｅ）、液晶表示パネル、有機ＥＬ（Ｅｌｅｃｔｒｏ  Ｌｕｍｉｎｅｓｃｅｎｃｅ）パネル等、種々の構成を広く適用することができる。
この実施形態において、表示部１１は、この画像表示パネルの出射光を出射する光学系１１Ａを備え、車両用表示装置２は、この光学系１１Ａによる光路上に設けられたミラーＭ１、Ｍ２により出射光Ｌの光路を折り曲げ、これにより全体構成を小型化するように構成される。
【００２２】
操作情報取得部１２は、ドライバーの操作による操作部２０の操作情報を取得して出力する。
【００２３】
ここで図３は、この操作部２０の可動部２０Ａを上方より見て示す平面図である。
可動部２０Ａは、この操作部２０において、ユーザーが手を添えて操作する部位である。
操作部２０は、運転中のドライバーが手を伸ばして操作可能な部位に配置される。
【００２４】
操作部２０は、いわゆるセルフリターンスイッチによる操作子であり、初期位置Ｃを間に挟んだ一方の側の可動端ＬＲと他方の側の可動端ＬＬとの間の範囲Ｗで、可動部２０Ａを可動可能であって、ユーザーが手を放して可動部２０Ａに対する拘束力が無くなると、可動部２０Ａが初期位置Ｃに可動する操作子である。
操作部２０は、この可動部２０Ａが円柱形状により形成され、この可動部２０Ａの可動が、回動であるように構成される。
これにより操作部２０は、矢印Ａにより示すように、時計回りに可動部２０Ａを回動させたり、矢印Ｂにより示すように、反時計回りに可動部２０Ａを回動させたりして操作できるように構成される。
【００２５】
ここで操作部２０は、車両用表示装置２において、メニュー画像のフォーカスの切替えに供する操作子であり、車両用表示装置２は、この操作部２０に加えて、操作部２０の操作によりフォーカスが設定されたメニュー画像の選択を指示する操作子（決定の操作を指示する操作子である）、メニュー画像の表示、非表示を切り替える操作子等を備える。
なお操作部２０の可動部２０Ａを押圧操作可能に構成し、これにより決定の操作を指示する操作子の機能を操作部２０に設けるようにしてもよい。
【００２６】
操作情報取得部１２は、この可動部２０Ａの回動方向、可動部２０Ａの回動操作量を検出し、この回動方向、回動操作量を操作情報として出力する。
【００２７】
〔表示制御部〕
表示制御部１３は、ドライバーの操作により、表示部１１の表示を制御して選択可能なメニュー画像を表示し、ドライバーによるメニュー画像の選択により各部の動作を制御する。
図４は、このメニュー画像の表示の説明に供する図である。
このメニュー画像の表示は、ドライバーにより車両１の走行モードが自動運転モードに設定された状態で、図５に示すように、自車両の走行車線Ｌ１の前方、一定距離以下の範囲に、先行車両２１Ａが存在する場合の表示である。
この場合、表示制御部１３は、リング形状の領域２２を放射状に分轄して小領域２３Ａ〜２３Ｈを形成し、この小領域２３Ａ〜２３Ｈにそれぞれメニュー画像２４Ａ〜２４Ｈを表示する。
これにより表示制御部１３は、メニュー画像２４Ａ〜２４Ｈを順次並べて配置して、選択可能な複数のメニュー画像２４Ａ〜２４Ｈを表示する。
【００２８】
ここで第１の小領域２３Ａには空調の操作を指示するメニュー画像２４Ａが割り当てられ、「AIR」の文字表示によりメニュー画像２４Ａが表示される。また第２の小領域２３Ｂには電子メールに関する操作の選択を指示するメニュー画像２４Ｂが割り当てられ、「MAIL」の文字表示によりメニュー画像２４Ｂが表示される。また第３の小領域２３Ｃには電話の操作を指示するメニュー画像２４Ｃが割り当てられ、「TEL」の文字表示によりメニュー画像２４Ｃが表示される。また第４の小領域２３Ｄにはアンチロック・ブレーキ・システムの動作を指示するメニュー画像２４Ｄが割り当てられ、「ABS」の文字表示によりメニュー画像２４Ｄが表示される。また第５の小領域２３Ｅにはオーディオシステムの操作を指示するメニュー画像２４Ｅが割り当てられ、「AUDIO」の文字表示によりメニュー画像２４Ｅが表示される。また第６の小領域２３Ｆにはナビゲーションの処理を指示するメニュー画像２４Ｆが割り当てられ、「NAVI」の文字表示によりメニュー画像２４Ｆが表示される。また第７の小領域２３Ｇには、前方車両への追従走行を指示するメニュー画像２４Ｇが割り当てられ、「TRACKING」の文字表示によりメニュー画像２４Ｇが表示される。また第８の小領域２３Ｈには追い越しを指示するメニュー画像２４Ｈが割り当てられ、「OVERTAKING」の文字表示によりメニュー画像２４Ｈが表示される。
【００２９】
表示制御部１３は、図５に示すように、ドライバーより見て、このリング形状による領域２２の内側の、円形形状の領域に先行車両２１Ａの全景が収まるように、このリング形状による領域２２の大きさ、表示位置を可変してこれらメニュー画像２４Ａ〜２４Ｈを表示する。
なおここで符号２０Ａは、この車両用表示装置２による画像表示領域であり、符号２５Ａ、２５Ｂは、隣接する走行車線Ｌ２の車両である。
【００３０】
これに対して図６は、ドライバーにより車両１の走行モードが自動運転モードに設定された状態で、自車両の走行車線Ｌ１の前方、一定距離以下の範囲に、先行車両が存在しない場合、さらには図７に示すように、先行車両２１Ａの追い越し等の為に、走行車線Ｌ１、Ｌ２の車線を跨いで走行している状態の表示である。
この場合、表示制御部１３は、円形形状の領域２６を放射状に分轄して小領域２７Ａ〜２７Ｈを形成し、この小領域２７Ａ〜２７Ｈにそれぞれメニュー画像２８Ａ〜２８Ｈを表示する。
これによりこの場合も表示制御部１３は、メニュー画像２８Ａ〜２８Ｈを順次並べて配置して、選択可能な複数のメニュー画像２８Ａ〜２８Ｈを表示する。
【００３１】
ここで第１の小領域２７Ａには、小領域２３Ａに対応するように、空調の操作を指示するメニュー画像２８Ａが「AIR」の文字表示により表示される。また第２の小領域２７Ｂには、小領域２３Ｂに対応するように、電子メールに関する操作の選択を指示するメニュー画像２８Ｂが「MAIL」の文字表示により表示される。また第３の小領域２７Ｃには、小領域２３Ｃに対応するように、電話の操作を指示するメニュー画像２８Ｃが「TEL」の文字表示により表示される。また第４の小領域２７Ｄには、小領域２３Ｄに対応するように、時間計測を指示するメニュー画像２８Ｄが割り当てられ、「STOP WATCH」の文字表示によりメニュー画像２８Ｄが表示される。また第５の小領域２７Ｅには、小領域２３Ｅに対応するように、水温、油温の表示を指示するメニュー画像２８Ｅが割り当てられ、「WATER OIL」の文字表示によりメニュー画像２８Ｅが表示される。また第６の小領域２７Ｆには、小領域２３Ｆに対応するように、ナビゲーションの処理を指示するメニュー画像２８Ｆが「NAVI」の文字表示により表示される。また第７の小領域２７Ｇには、小領域２３Ｇに対応して、アンチロック・ブレーキ・システムの動作を指示するメニュー画像２８Ｇが割り当てられ、「ABS」の文字表示によりメニュー画像２８Ｇが表示される。また第８の小領域２７Ｈには、小領域２３Ｈに対応して、オーディオシステムの操作を指示するメニュー画像２８Ｈが割り当てられ、「AUDIO」の文字表示によりメニュー画像２８Ｈが表示される。
【００３２】
表示制御部１３は、車両１の前方を撮像して得られる撮像結果の画像処理により、自車両の走行車線Ｌ１の前方、一定距離以下の範囲に、先行車両２１Ａが存在するか否か判断し、この判断結果に基いて、図４及び図６のメニュー画像２４Ａ〜２４Ｈ、２８Ａ〜２８Ｈの表示を切り替える。
またこのようにメニュー画像２４Ａ〜２４Ｈ、２８Ａ〜２８Ｈを表示して、ドライバーの指示によりメニュー画像２４Ａ〜２４Ｈ、２８Ａ〜２８Ｈに設定されたフォーカスを切り替え、ドライバーによる決定の操作子の操作によりフォーカスが設定されているメニュー画像２４Ａ〜２４Ｈ、２８Ａ〜２８Ｈの選択を受け付ける。
表示制御部１３は、この選択を受け付けたメニュー画像に応じて、同様にして下位階層のメニュー画像を表示してドライバーの選択を受け付ける。またさらに選択を受け付けたメニュー画像に応じて対応する各部に動作を指示し、これによりドライバーの指示に応じて各部の動作を制御する。
【００３３】
〔フォーカスの切り替え〕
図８及び図９は、図５及び図７について上述したメニュー画像２４Ａ〜２４Ｈ、２８Ａ〜２８Ｈの表示について、フォーカスの切り替えの説明に供する図である。
この図８及び図９では、フォーカスが設定されたメニュー画像を、このメニュー画像が配置されている対応する小領域のハッチングにより示す。
表示制御部１３は、操作情報取得部１２から通知される操作情報に基いて、可動部２０Ａの可動操作量を所定の判定規準値により判定することにより、この可動部２０Ａが初期位置Ｃから一方の側の可動端ＬＲ側に、一定量以上回転操作されたか否か、またこれとは逆に、可動部２０Ａが初期位置Ｃから他方の側の可動端ＬＬ側に、一定量以上操作されたか否か判断する。
このようにして操作量を判定して、表示制御部１３は、この一定量以上の操作開始時点から、対応する操作終了時点までの時間を時間計測し、これにより可動部２０Ａを、可動端側に可動した可動時間を計測する。
表示制御部１３は、このようにして計測した可動時間を判定基準時間により判定し、可動時間が判定時間未満の場合、可動部２０Ａを可動した側にメニュー画像のフォーカスを切り替える。
これにより表示制御部１３は、可動部２０Ａを可動する毎に、並べて配置したメニュー画像のフォーカスを、可動部２０Ａを可動した側に順次切り替える。
【００３４】
すなわち図８（Ａ）に示すように、メニュー画像２４Ｇにフォーカスが設定されている状態で、図８（Ｂ１）に示すように、可動部２０Ａが時計回りに可動して、短時間で初期位置Ｃに戻った場合、図８（Ｃ）に示すように、メニュー画像２４Ｇの時計回り方向に隣接するメニュー画像２４Ｈにフォーカスを切り替える。
またさらに図８（Ｄ１）に示すように、同様に可動部２０Ａが操作されると、図８（Ｅ）に示すように、メニュー画像２４Ｈの時計回り方向に隣接するメニュー画像２４Ａにフォーカスを切り替える。
【００３５】
またこれとは逆に、図８（Ｅ）に示すように、メニュー画像２４Ａにフォーカスが設定されている状態で、図８（Ｄ２）に示すように、可動部２０Ａが反時計回りに可動して、短時間で初期位置Ｃに戻った場合、図８（Ｃ）に示すように、メニュー画像２４Ａの反時計回り方向に隣接するメニュー画像２４Ｈにフォーカスを切り替える。
またさらに図８（Ｂ２）に示すように、同様に可動部２０Ａが操作されると、図８（Ａ）に示すように、メニュー画像２４Ｈの反時計回り方向に隣接するメニュー画像２４Ｈにフォーカスを切り替える。
【００３６】
また同様に図９（Ａ）に示すように、メニュー画像２８Ｇにフォーカスが設定されている状態で、図９（Ｂ１）に示すように、可動部２０Ａが時計回りに可動して、短時間で初期位置Ｃに戻った場合、図９（Ｃ）に示すように、メニュー画像２８Ｇの時計回り方向に隣接するメニュー画像２８Ｈにフォーカスを切り替える。
またさらに図９（Ｄ１）に示すように、同様に可動部２０Ａが操作されると、図９（Ｅ）に示すように、メニュー画像２０Ｈの時計回り方向に隣接するメニュー画像２８Ａにフォーカスを切り替える。
【００３７】
またこれとは逆に、図９（Ｅ）に示すように、メニュー画像２８Ａにフォーカスが設定されている状態で、図９（Ｄ２）に示すように、可動部２０Ａが反時計回りに可動して、短時間で初期位置Ｃに戻った場合、図９（Ｃ）に示すように、メニュー画像２８Ａの反時計回り方向に隣接するメニュー画像２８Ｈにフォーカスを切り替える。
またさらに図９（Ｂ２）に示すように、同様に可動部２０Ａが操作されると、図９（Ａ）に示すように、メニュー画像２８Ｈの反時計回り方向に隣接するメニュー画像２８Ｈにフォーカスを切り替える。
【００３８】
これにより車両用表示装置２では、順次、メニュー画像のフォーカスを切り替えて、所望するメニュー画像を選択することができる。
しかしながらこのようにして操作部２０を操作する毎にメニュー画像のフォーカスを順次切り替える場合、迅速に所望するメニュー画像を選択することが困難になる場合がある。
そこで表示制御部１３は、可動時間が判定基準時間以上である場合、隣接するメニュー画像を飛び越して、メニュー画像のフォーカスを切り替える。
より具体的にこの実施形態では、フォーカスが設定されているメニュー画像に対して、対向するように保持されたメニュー画像（フォーカスが設定されているメニュー画像に対して、１８０度の角間隔を成すメニュー画像である）にフォーカスを切り替える。
なおこれにより１８０度の角度に代えて、１２０度の角度に設定する場合等、角度にあっては、種々に設定することができる。また角度に代えて、飛び越すメニュー画像の数を一定個数に設定するようにしてもよい。
【００３９】
すなわち図１０（Ａ）に示すように、メニュー画像２４Ｈにフォーカスが設定されている状態で、図１０（Ｂ１Ａ）に示すように、可動部２０Ａが反時計回りに可動して、判定基準時間以上、可動端ＬＬ側に保持されている場合、又は図１０（Ｂ１Ｂ）に示すように、可動部２０Ａが時計回りに可動して、判定基準時間以上、可動端ＬＲ側に保持されている場合、図１０（Ｃ）に示すように、メニュー画像２４Ｈに対向するメニュー画像２４Ｄにフォーカスを切り替える。
またこれとは逆に、図１０（Ｃ）に示すように、メニュー画像２４Ｄにフォーカスが設定されている状態で、図１０（Ｂ２Ａ）に示すように、可動部２０Ａが反時計回りに可動して、判定基準時間以上、可動端ＬＬ側に保持されている場合、又は図１０（Ｂ２Ｂ）に示すように、可動部２０Ａが時計回りに可動して、判定基準時間以上、可動端ＬＲ側に保持されている場合、図１０（Ａ）に示すように、メニュー画像２４Ｄに対向するメニュー画像２４Ｈにフォーカスを切り替える。
【００４０】
また図１１（Ａ）に示すように、メニュー画像２８Ｈにフォーカスが設定されている状態で、図１１（Ｂ１Ａ）に示すように、可動部２０Ａが反時計回りに可動して、判定基準時間以上、可動端ＬＬ側に保持されている場合、又は図１１（Ｂ１Ｂ）に示すように、可動部２０Ａが時計回りに可動して、判定基準時間以上、可動端ＬＲ側に保持されている場合、図１１（Ｃ）に示すように、メニュー画像２８Ｈに対向するメニュー画像２８Ｄにフォーカスを切り替える。
またこれとは逆に、図１１（Ｃ）に示すように、メニュー画像２８Ｄにフォーカスが設定されている状態で、図１１（Ｂ２Ａ）に示すように、可動部２０Ａが反時計回りに可動して、判定基準時間以上、可動端ＬＬ側に保持されている場合、又は図１１（Ｂ２Ｂ）に示すように、可動部２０Ａが時計回りに可動して、判定基準時間以上、可動端ＬＲ側に保持されている場合、図１１（Ａ）に示すように、メニュー画像２８Ｄに対向するメニュー画像２８Ｈにフォーカスを切り替える。
【００４１】
これによりこの車両用表示装置２では、間に複数のメニュー画像が配置されたメニュー画像間でフォーカスを切り替える場合にあっても、迅速にフォーカスを切り替えることができる。またこのような操作部２０の操作は、ブラインド操作によっても簡易かつ確実に実行することができる。これにより車両用表示装置２では、ブラインド操作により、迅速にフォーカスを切り替えることができる。
これによりブラインド操作可能に多数のメニュー画像を表示して操作を受け付ける構成において、迅速に所望するメニュー画像を選択することができる。
【００４２】
なお表示制御部１３は、このようにしてフォーカスを設定して、フォーカスを設定したメニュー画像を割り当てた小領域を、他の小領域とは異なるように、例えば色彩、輝度等を設定して表示し、これによりフォーカスの設定を目視により確認できるようにする。
【００４３】
図１２は、このフォーカスの処理に係る表示制御部１３の処理手順を示すフローチャートである。
表示制御部１３は、選択可能なメニュー画像を表示し（ＳＰ１−ＳＰ２）、ドライバーが可動部２０Ａを可動すると（ＳＰ３）、可動時間が判定基準時間（この例では２秒である）以上であるか否か判断し（ＳＰ４）、可動時間が判定基準時間未満の場合、フォーカスを１つ分、可動方向に切替える（ＳＰ７−ＳＰ６）。
また可動時間が判定基準時間以上の場合、それまでフォーカスが設定されていたメニュー画像に対して１８０度分、フォーカスが設定されているメニュー画像が変化するように、フォーカスを切替える（ＳＰ５−ＳＰ６）。
【００４４】
以上の構成によれば、一方の側及び他方の側に、可動部を可動する毎に、それぞれ一方の側及び他方の側に、メニュー画像のフォーカスを切り替えるようにして、可動端側に一定時間以上保持すると、隣接するメニュー画像を飛び越して、メニュー画像のフォーカスを切り替えることにより、例えばリング形状に複数のメニュー画像を配置したメニュー画面において、反対側に配置したメニュー画像にフォーカスを切り替える場合でも、ブラインド操作により、迅速にフォーカスを切り替えることができる。
これによりブラインド操作可能に多数のメニュー画像を表示して操作を受け付ける構成において、迅速に所望するメニュー画像を選択することができる。
【００４５】
またさらにリング形状、円形形状の領域を放射状に分轄して形成された各小領域にメニュー画像をそれぞれ配置して表示することにより、メニュー画像の配置と対応する操作部の構成により、直感的にフォーカスを切り替え可能として、迅速に所望するメニュー画像を選択することができる。
【００４６】
〔他の実施形態〕
以上、本発明の実施に好適な具体的な構成を詳述したが、本発明は、本発明の趣旨を逸脱しない範囲で、上述の実施形態の構成を種々に変更することができる。
【００４７】
すなわち上述の実施形態では、円形形状、リング形状にメニュー画像を配置する場合について述べたが、本発明はこれに限らず、円弧形状により配置する場合、さらには直線状に配置する場合等、種々の形態によりメニュー画像を並べて配置する場合に広く適用することができる。
【符号の説明】
【００４８】
１  車両
２  車両用表示装置
３  ウインドシールド
４  ドライバー
５  虚像
１１  表示部
１２  操作情報取得部
１３  表示制御部
２０  操作部
２０Ａ  可動部
２４Ａ〜２４Ｈ、２８Ａ〜２８Ｈ  メニュー画像
【図１】
2020050056.tif 000003
【図２】
2020050056.tif 000004
【図３】
2020050056.tif 000005
【図４】
2020050056.tif 000006
【図５】
2020050056.tif 000007
【図６】
2020050056.tif 000008
【図７】
2020050056.tif 000009
【図８】
2020050056.tif 000010
【図９】
2020050056.tif 000011
【図１０】
2020050056.tif 000012
【図１１】
2020050056.tif 000013
【図１２】
2020050056.tif 000014